(57)【要約】本発明は連結用のパネルフレームを介してパネル相互間を連結して組み立てるときにパネル相互間の連結部位の支持力を強化できるように構成したユニットパネルと、このようなユニットパネルとパネルフレームを組み立てて完成したプレハブ式パネル、並びにこのようなプレハブ式パネルにより施工するときに別途の内部補強材なしでも十分な補強効果を発揮して構造的な安定性を有するように構成した外部補強構造のプレハブ式貯水槽に関する。【選択図】図６
2010523414.tif 000002
【特許請求の範囲】
【請求項１】
四角平板であるか、あるいは、四角平面の正射影を有する単位サイズの四角板（１１０）と、４面が前記四角板（１１０）の四辺を垂直に取り囲むように四角帯状に設けられる補強枠板（１２０）と、を備えてなるが、
前記補強枠板（１２０）における水平に対向する第１面と第２面の少なくとも１つの面は、コの字状の下端が外向きに水平にさらに延びた形状、あるいは、∩字状の両下端が外向きに水平にさらに延びた形状を呈することにより段付き顎（１２１ａ）が形成され、
前記補強枠板（１２０）における垂直に対向する第３面と第４面の少なくとも１つの面は、コの字状または∩字状を呈することにより脚（１２１ｂ）が形成され、
前記補強枠板（１２０）は、段付き顎（１２１ａ）と脚（１２１ｂ）が連設されることにより四縁のいずれか１以上の縁と接する個所に段付き溝（１２１）が凹設されることを特徴とするユニットパネル。
【請求項２】
前記四角板（１１０）は、補強枠板（１２０）の段付き溝（１２１）と出会う縁が前記補強枠板の段付き顎（１２１ａ）及び脚（１２１ｂ）に連設されるように縁脚（１１１）から形成されることを特徴とする請求項１に記載のユニットパネル。
【請求項３】
前記四角板（１１０）及び補強枠板（１２０）は、それぞれ均一な厚さに射出成形して一体に製作されることを特徴とする請求項１又は２に記載のユニットパネル。
【請求項４】
複数が隣り合って水平または垂直に配置されるが、前記補強枠板の段付き溝（１２１）が上下に隣接し、且つ、前記補強枠板（１２０）が互いに隣接するように配置される請求項１又は２に記載のユニットパネル（１００）と、
ウェブ（２２０）と両フランジ（２１０）からなるコの字状の断面部材であって、ウェブ（２２０）の中間で内向きに段が付くように折り曲げられ、ウェブ（２２０）が非折曲部（２２１）と非折曲部よりも内側に位置する折曲部（２２２）を有するように形成された第１チャネル（２００ａ）を有するパネルフレーム（２００）と、を備え、
前記パネルフレーム（２００）は、第１チャネルの前記フランジ（２１０）がユニットパネルの前記段付き溝（１２１）に嵌合しつつ、前記第１チャネルのウェブ折曲部（２２２）がユニットパネルの前記補強枠板（１２０）に接するように設置され、
前記パネルフレーム（２００）の前記第１チャネルのウェブ前記折曲部（２２２）と２枚のユニットパネルの前記補強枠板（１２０）を水平に、同時に接合し、２枚のユニットパネルの前記補強枠板（１２０）を垂直に、同時に接合することにより完成されることを特徴とするプレハブ式パネル。
【請求項５】
前記複数のユニットパネルは、前記補強枠板の段付き溝（１２１）が左右に隣り合うように配置され、
前記パネルフレームは、前記第１チャネル（２００ａ）と同じ形状の前記第２チャネル（２００ｂ）を有することにより、前記第１チャネル（２００ａ）と前記第２チャネル（２００ｂ）が、ウェブ（２２０）同士が互いに背くように配置されて非折曲部（２２１）同士が隣接しつつ前記折曲部（２２２）の間に隙間（２３０）が形成されるように設けられ、
前記パネルフレーム（２００）は、前記第１チャネル及び前記第２チャネルのフランジ（２１０）が隣り合う２枚のユニットパネルの前記段付き溝（１２１）にそれぞれ嵌合しつつ、前記第１チャネル及び前記第２チャネルのウェブ前記折曲部（２２２）間の隙間（２３０）に互いに隣接する２枚のユニットパネルの前記補強枠板（１２０）が嵌合するように設置され、
左右方向に前記パネルフレーム（２００）の前記第１チャネル及び前記第２チャネルのウェブ折曲部（２２２）と２枚のユニットパネルの前記補強枠板（１２０）を同時に接合し、上下方向に２枚のユニットパネルの前記補強枠板（１２０）を同時に接合することにより完成されることを特徴とする請求項４に記載のプレハブ式パネル。
【請求項６】
前記パネルフレーム（２００）は、前記第１チャネル及び前記第２チャネルが両フランジ（２１０）の先端に内向きに折り曲げられてリップ（２１１）が形成されたリップチャネルであることを特徴とする請求項５に記載のプレハブ式パネル。
【請求項７】
貯水可能な貯水槽であって、
貯水槽の壁を構成するように請求項５に記載のプレハブ式パネルにより施工されるが、前記プレハブ式パネルのパネルフレーム（２００）が貯水槽の外部に位置するように施工される壁パネル（ＷＰ）と、
貯水槽の天井を構成するようにプレハブ式により施工される天井パネル（ＣＰ）と、
を備えてなることを特徴とする外部補強構造のプレハブ式貯水槽。
【請求項８】
前記貯水槽は四角箱状であって、貯水槽の四縁に垂直に立設されるコの字アングル型の縁柱（３００）がさらに備えられ、
前記壁パネル（ＷＰ）は、複数のユニットパネル（１００）のうち最上部のユニットパネルとして、補強枠板（１２０）の上部に段付き溝が形成されず、且つ、四角板（１１０）の上縁に排水孔（１１３）が穿設されたユニットパネルを選択して組み立て完成されるプレハブ式パネルを前記縁柱（３００）の間において縁柱（３００）の板面にプレハブ式により接合設置することにより施工され、
前記天井パネル（ＣＰ）は、前記壁パネル（ＷＰ）を構成するユニットパネル（１００）と同じ構造であり、且つ、四縁付近の全部に段付き溝（１２１）が凹設されたユニットパネル（１００）の複数を選択して補強枠板（１２０）を互いに隣接するように接合して組み立て完成されるプレハブ式パネルを補強枠板（２００）が貯水槽の外部を向かうように設置することにより施工され、
前記壁パネル（ＷＰ）の最上部ユニットパネルの四角板（１１０）と前記天井パネル（ＣＰ）の外郭ユニットパネルの補強枠板（１２０）を互いに隣接するように接合して施工されることを特徴とする請求項７に記載の外部補強構造のプレハブ式貯水槽。
【請求項９】
前記天井パネル（ＣＰ）は、前記壁パネル（ＷＰ）と同じ方式によりユニットパネル（１００）とパネルフレーム（２００）が組み立てられたプレハブ式パネルにより施工され、
前記壁パネル（ＷＰ）のパネルフレームと前記天井パネル（ＣＰ）のパネルフレームを互いに連結・接合して施工されることを特徴とする請求項８に記載の外部補強構造のプレハブ式貯水槽。
【請求項１０】
前記壁パネル（ＷＰ）は、壁パネルのパネルフレーム（２００）として、ウェブの折曲部（２２２）が壁パネル（ＷＰ）の最上部ユニットパネルの上に突き出る延在部（２２５）と、延在部（２２５）下のウェブの折曲部（２２２）が凹んだ切欠溝（２２３）と、を備えるように設けられたパネルフレームを選択して、前記壁パネル（ＷＰ）の最上部ユニットパネルの補強枠板（１２０）の上部を前記壁パネル（ＷＰ）のパネルフレームの切欠溝（２２３）に嵌合して組み立て完成されるプレハブ式パネルにより施工され、
前記壁パネル（ＷＰ）のパネルフレーム延在部（２２５、ウェブの折曲部）と前記天井パネル（ＣＰ）のパネルフレームウェブの非折曲部（２２１）を互いに連結・接合して施工されることを特徴とする請求項９に記載の外部補強構造のプレハブ式貯水槽。
【請求項１１】
前記壁パネル（ＷＰ）のパネルフレーム（２００）は、延在部（２２５）のウェブ折曲部が延在部（２２５）下のウェブ折曲部よりも大きな深さを有するように形成され、
前記天井パネル（ＣＰ）のパネルフレーム（２００）には、ウェブの非折曲部が天井パネル（ＣＰ）の外郭ユニットパネル（１００）の両側に突き出る延在部（２２５）がさらに形成され、
前記壁パネル（ＷＰ）のパネルフレーム延在部（２２５、ウェブ折曲部）に形成された隙間（２３０）に前記天井パネル（ＣＰ）のパネルフレーム延在部（２２５、ウェブの非折曲部）を嵌合した後、前記壁パネル（ＷＰ）のパネルフレーム延在部（２２５）と天井パネル（ＣＰ）のパネルフレーム延在部（２２５）を同時に接合することにより互いに連結・接合して施工されることを特徴とする請求項１０に記載の外部補強構造のプレハブ式貯水槽。
【請求項１２】
前記壁パネル（ＷＰ）のパネルフレーム（２００）において、天井パネル（ＣＰ）のパネルフレーム（２００）と接合しないつつも相対するように配置されたパネルフレーム（２００）には、その延在部（２２５、ウェブの折曲部）を相互連結する連結棒（２５０）がさらに設けられることを特徴とする請求項１０又は１１に記載の外部補強構造のプレハブ式貯水槽。
【発明の詳細な説明】
【技術分野】
【０００１】
本発明はユニットパネル、プレハブ式パネル及びプレハブ式貯水槽に係り、さらに詳しくは、連結用のパネルフレームを介してパネル相互間を連結して組み立てるときにパネル相互間の連結部位の支持力を強化できるように構成したユニットパネルと、このようなユニットパネルとパネルフレームを組み立てて完成したプレハブ式パネル、並びにこのようなプレハブ式パネルにより組み立て施工するときに別途の内部補強材なしでも十分な補強効果を発揮して構造的な安定性を有するように構成した外部補強構造のプレハブ式貯水槽に関する。
【背景技術】
【０００２】
構造物を構築する上で最も簡単な方法としては、プレハブ式方法がある。プレハブ式方法は、工場において生産された部材、部品を現場に運んで単純な機械的方法により組み立てることにより構造物を構築する方法である。このようなプレハブ式方法は、現場作業が簡単であり、作業時間が短縮されるなど種々の利点があることから、最近プレハブ式貯水槽などプレハブ式構造物の構築に頻繁に試みられている。
図１は、従来の貯水槽用のプレハブ式パネルとプレハブ式貯水槽を示す図である。
図１（ａ）に示すように、従来の貯水槽用のプレハブ式パネルは、四角平板と、四角平板を取り囲む補強枠板と、から構成されたユニットパネルを相互連結することにより完成される。すなわち、補強枠板が互いに隣接するようにユニットパネルの複数を配置した後、補強枠板を連結して結束するのである。しかしながら、このようなプレハブ式パネルは、結束ピンによってしかユニットパネル相互間が連結されないため、荷重が連結部分に集中する場合にはこれを十分に支持することができない。このため、ユニットパネル相互間を連結するときに別途の補強構造を設けながらプレハブ式パネルを完成する必要がある。
図１（ｂ）及び図１（ｃ）は、従来のプレハブ式貯水槽に適用されるプレハブ式パネルの種々の補強構造を示しているが、図１（ｂ）は、補強プレートまたは補強フレームを設けて補強した方法であり、図１（ｃ）は、内部連結フレームをさらに設けて補強した方法である。
しかしながら、図１（ｂ）の補強プレートにより補強する方法は補強効果があまり良好ではなく、補強フレームにより補強する方法もまた、補強プレートのサイズを肥大化させた程度に過ぎず、大きな荷重が作用する場合には多大な効果を発揮することができないため（補強フレームがユニットパネルの補強枠板の連結部分に凹んだ状態でユニットパネルに嵌合するため、補強フレームの支持力は弱くなる）、プレハブ式貯水槽のようにかなりの荷重が作用するプレハブ式構造物の製作を行うには、これらの補強構造だけでは不足する。
図１（ｃ）の内部連結フレームにより補強する方法は強力な補強構造を完成することはできるとはいえ、内部連結フレームがプレハブ式構造物の内部空間にそのまま露出される形態であるため内部空間の活用に制約があり、さらに、プレハブ式貯水槽の製作に適用される場合であれば、内部連結フレームが水に浸漬されるため、水質汚染問題と共に内部連結フレームの耐久性の低下問題が懸念される。
一方、従来のプレハブ式貯水槽は、壁パネルだけではなく、天井パネルにも、図１（ａ）に示すプレハブ式パネルをそのまま選択してきているが、図１（ａ）のプレハブ式パネルを天井パネルに適用するに際しては、壁パネルへの適用時とは異なり、補強枠板による接合部分を貯水槽側の内部を向くように設置して、貯水槽の内部において組み立てるような方法により行われてきた。これは、補強枠板による接合部分を貯水槽側の外部を向くように組み立てると、雨水が補強枠板により取り囲まれた空間内に閉じ込められて排出できなくなるためである。しかしながら、このような組み立て方式によれば、貯水槽の内部においてしか補修・補強作業を行うことができず、これは、補修・補強作業を行うことを妨げる要因となる。
【発明の概要】
【発明が解決しようとする課題】
【０００３】
本発明は上述した従来の問題点を解決するためになされたものであり、下記の如き技術的な課題を有する。
第一に、連結用のパネルフレームを介してパネル相互間を連結して組み立てるとき、パネル相互間の連結部位の支持力を強化させることのできるユニットパネルと、このようなユニットパネルをパネルフレームと組み立てて完成したプレハブ式パネルを提供するところに技術的課題がある。
第二に、別途の内部補強材なしでも十分な補強効果を発揮することはもとより、プレハブ式パネルにおいて接合部位をいずれも貯水槽の外部に位置させつつも雨水を円滑に排出することのできる外部補強構造のプレハブ式貯水槽を提供するところに他の技術的課題がある。
【課題を解決するための手段】
【０００４】
上述した技術的課題を解決するためになされた本発明の構成は、下記の通りである。
本発明によるユニットパネルは、四角平板であるか、あるいは、正射影が四角平面を有する単位サイズの四角板と、４面が前記四角板の四辺を垂直に取り囲むように四角帯状に設けられる補強枠板と、を備えてなるが、前記補強枠板における水平に対向する第１面と第２面のどちらか１面以上は、コの字状の下端が外向きに水平にさらに延びた形状、あるいは、∩字状の両下端が外向きに水平にさらに延びた形状を呈することにより段付き顎が形成され、前記補強枠板における他方向に相対する第３面と第４面のどちらか１面以上は、コの字状または∩字状を呈することにより脚が形成され、前記補強枠板は、段付き顎と脚が連設されることにより四縁のいずれか１以上の縁と接する個所に段付き溝が凹設されることを特徴とする
本発明によるプレハブ式パネルは、前記ユニットパネルを用いて組み立てたものであって、複数が上下左右に平行に配置されるが、補強枠板の段付き溝が上下に隣接し、且つ、補強枠板が互いに隣接するように配置される前記ユニットパネルと、ウェブと両フランジからなるコの字状の断面部材であって、ウェブの途中において内向きに段が付くように折り曲げられて、ウェブが非折曲部と非折曲部よりも内側に位置する折曲部を有するように形成された第１チャネルを有するパネルフレームと、を備えてなるが、前記パネルフレームは、第１チャネルのフランジがユニットパネルの段付き溝に嵌合しつつ、第１チャネルのウェブ折曲部がユニットパネルの補強枠板に接するように設置され、左右方向に前記パネルフレームの第１チャネルのウェブ折曲部と２枚のユニットパネルの補強枠板を同時に接合し、上下方向に２枚のユニットパネルの補強枠板を同時に接合することにより完成されることを特徴とする。
本発明による外部補強構造のプレハブ式貯水槽は、前記プレハブ式パネルを用いて施工した貯水槽であって、貯水槽の壁を構成するように前記プレハブ式パネルにより施工されるが、前記プレハブ式パネルのパネルフレームが貯水槽の外部に位置するように施工される壁パネルと、貯水槽の天井を構成するようにプレハブ式により施工される天井パネルと、を備えてなることを特徴とする。
【発明の効果】
【０００５】
本発明によれば、下記の効果が期待される。
第一に、連結用のパネルフレームを介してユニットパネル相互間を連結して組み立てるとき、ユニットパネルが連結用のパネルフレームを取り囲みつつパネルフレームに完全に噛合されるように組み立てられることから、ユニットパネル相互間の連結部位の支持力を強化させることができる。その結果、ユニットパネルとパネルフレームの組み立てだけでも十分な補強効果を発揮するプレハブ式パネルを提供することができる。
第二に、プレハブ式貯水槽を製作するに際して別途の内部補強材を使用せずとも構造的な安定性を有するように製作完成することができ、その結果、使用資材を低減しつつ簡単に貯水槽を組み立てて製作することができる。
第三に、接合部位をいずれも外部に位置させつつ貯水槽を組み立て製作することができることから、貯水槽内部の水質汚染問題と共に接合部位の耐久性の低下問題を払拭することができる。さらに、ユニットパネル相互間の接合部位に瑕疵が発生しても貯水槽の外部において補修・補強作業を行うことができることから、補修・補強作業が簡単になることはもちろん、補修・補強作業中にも貯水槽の持続的な使用が可能になる。
【図面の簡単な説明】
【０００６】
【図１】従来のユニットパネルとプレハブ式貯水槽を示す図である。
【図２】本発明によるユニットパネルを示す図である。
【図３】図２のユニットパネルを組み立てて完成したプレハブ式パネルを示す図である。
【図４】図３のプレハブ式パネルにおいて、ユニットパネルの複数が平行に配置された状態を示す図である。
【図５】図３のプレハブ式パネルに用いられるパネルフレームを示す図である。
【図６】図３のプレハブ式パネルを用いて完成したプレハブ式貯水槽の一例である。
【図７】図６のプレハブ式貯水槽における天井パネルと壁パネルとの接合詳細を示す分離詳細図である。
【図８】図７における壁パネルのパネルフレームと天井パネルのパネルフレームの組み立ての詳細を示す図である。
【発明を実施するための形態】
【０００７】
以下、添付図面と好適な実施形態に基づき本発明を詳述する。
図２は、本発明によるユニットパネルを示す図であり、本発明のユニットパネル１００は、基本的に、単位サイズの四角板１１０と、四面が前記四角板１１０の四辺を垂直に取り囲むように四角帯状に設けられる補強枠板１２０と、で構成される。
四角板１１０は、フラットな四角平板（平面型部材）であるか、あるいは、正射影が四角平面（立体型部材）を有する構成である。ここで、正射影が四角平面を有するとは、その表面がある屈曲を有するように形成可能であることを意味する。四角板１１０は、完成されるプレハブ式構造物の形状や用途に応じてその形状を適切に決定するようにする。
補強枠板１２０は、四面を有する四角帯状に設けられるが、前記補強枠板１２０における水平に対向する第１面１２０ａと第２面１２０ａのどちらか１面以上はコの字状の下端が外向きに水平にさらに延びた形状や、∩字状の両下端が外向きに水平にさらに延びた形状（＿∩＿）を呈することにより段付き顎１２１ａ（下端）が形成される一方、前記補強枠板１２０における他方向に相対する第３面１２０ｂと第４面１２０ｂのどちらか１面以上はコの字状または∩字状を呈することにより脚１２１ｂ（下脚）が形成される。このとき、前記段付き顎１２１ａと脚１２１ｂが連設されるように構成されるが、その結果、補強枠板１２０は、四縁のうちいずれか１以上の縁と接する個所に段付き溝１２１が凹設される。このような補強枠板１２０は、段付き溝１２１が凹設されても段付き顎１２１ａと脚１２１ｂが連設されるため、補強枠板１２０のいずれか１面に荷重が集中しても隣り合う面への荷重伝達が円滑になされる。
図２（ａ）は、１本の段付き溝１２１を有する補強枠板１２０からなるユニットパネル１００の例であり、図２（ｂ）は、２本の段付き溝１２１を有する補強枠板１２０からなるユニットパネル１００の例であり、図２（ｃ）は、４本の段付き溝１２１を有する補強枠板１２０からなるユニットパネル１００の例であり、図２（ｄ）は、ユニットパネル１００の単位サイズを大きく構成した例である。また、図２の各実施形態においては、補強枠板１２０が四角板１１０において垂直に折り曲げられて形成された結果、四角板１１０における補強枠板１２０の段付き溝１２１と出会う縁が補強枠板１２０の段付き顎１２１ａ及び脚１２１ｂに連設されるように縁脚１１１により形成されている（この場合、四角板は立体型部材であり、正射影が四角平面を有する）。これは、四角板１１０における補強枠板１２０への連続性を確保することにより、四角板１１０において受ける荷重を補強枠板１２０に円滑に伝達して補強枠板１２０の補強役割を極大化させるためである。
上記の如き四角板１１０と補強枠板１２０の構成を有するユニットパネル１００は、四角板１１０と補強枠板１２０をそれぞれ均一な厚さにして一体に射出成形すれば簡単に製作することができる。特に、後述するパネルフレーム２００との組み立てを考慮したとき、ユニットパネルの四角板１１０は端部（補強枠板に連なる枠部）をフラットに形成した方が、パネルフレーム２００との接合面積を拡大する上で好ましい。さらに、ユニットパネル１００をプレハブ式貯水槽に活用する場合であれば、ユニットパネルの四角板１１０は表面が凸状の球面に形成されるように構成した方が、水圧を効果的に支持する上で好ましい。
図３から図５は、図２のユニットパネル１００の複数を組み立てて完成したプレハブ式パネルを示す図であり、図３は、完成されたプレハブ式パネルの断面を示し、図４は、ユニットパネル１００の複数が平行に配置された状態を示し、図５は、プレハブ式パネルに用いられるパネルフレーム２００を示す。図３のプレハブ式パネルは、図４に示すように、ユニットパネル１００の複数が上下左右に平行に配置されれば、図５のパネルフレーム２００を介してユニットパネル１００の相互間を組み立てることにより完成される。
プレハブ式パネルの完成のために、複数のユニットパネル１００は、図４に示すように、補強枠板に凹設された段付き溝１２１が左右に隣り合いつつ上下に隣接するように配置される。図４においては、上下左右の６枚のユニットパネル１００が配置された状態を示しているが、下部左右側のユニットパネル１００は一側の上縁部に段付き溝１２１が凹設されたものであり（図２（ａ））、下部中央のユニットパネル１００は、両側の上縁部に段付き溝１２１が凹設されたものであり（図２（ｂ））、上部左右側のユニットパネル１００は、一側の下縁部に段付き溝１２１が凹設されたものであり（図２（ｄ））、上部中央のユニットパネル１００は、両側の下縁部に段付き溝１２１が凹設されたものである（図２（ｂ）の変形）。
本発明のプレハブ式パネルの完成に用いられるパネルフレーム２００は、全体的にコの字状断面のチャネル形状を有する部材として用いられるが、図５は、同じ形状を有する第１チャネル２００ａ及び第２チャネル２００ｂの１対からなる例を示す。
第１チャネル２００ａ及び第２チャネル２００ｂは、ウェブ２２０と両フランジ２１０からなるコの字状の断面部材であり、ウェブ２２０の途中において内向きに段が付くように折り曲げられてウェブ２２０が非折曲部２２１と折曲部２２２を有し、このとき、前記折曲部２２１は、非折曲部２２２よりも内側に形成される。このような構造を有する第１チャネル２００ａ及び第２チャネル２００ｂをウェブ２２０同士が互いに背くように配置すれば、非折曲部２２１同士は隣接しつつ折曲部２２２の間には隙間２３０が形成されるが、本発明は、上記の如き第１チャネル２００ａ及び第２チャネル２００ｂを、ユニットパネルを連結するためのパネルフレーム２００として選択している。
前記パネルフレーム２００は、第１チャネル２００ａ及び第２チャネル２００ｂが両フランジ２１０の先端に内向きに折り曲げられてリップ２１１が形成されたリップチャネルであってもよい（図６（ｂ））。また、パネルフレーム２００は、第１チャネル２００ａ及び第２チャネル２００ｂがウェブの折曲部２２２の途中でさらに折り曲げられ、ウェブの折曲部２２２が傾斜部２２２ａと直線部２２２ｂを有するように構成可能であり、前記傾斜部２２２ａは曲線状を含む。第１チャネル２００ａ及び第２チャネル２００ｂにはウェブ２２０を補強するために補剛材をさらに接合することができる（図示せず）。
図３（ａ）のプレハブ式パネルは、図４に示すように、ユニットパネル１００の複数を平行に配置した後、図５のパネルフレームにおいて第１チャネル２００ａだけを用いて組み立てた例を示す。このようなプレハブ式パネルは、複数のユニットパネル１００が補強枠板の段付き溝１２１が上下に隣接するように配置されれば、パネルフレーム２００として第１チャネル２００ａを選択して第１チャネルのフランジ２１０をユニットパネルの段付き溝１２１に嵌合しつつ第１チャネルのウェブ折曲部２２２をユニットパネルの補強枠板１２０に接するように設置した後、左右方向に第１チャネルのウェブ折曲部２２２と２枚のユニットパネルの補強枠板１２０を同時に接合（例えば、ボルト接合）し、上下方向に２枚のユニットパネルの補強枠板１２０を同時に接合（例えば、ボルト接合）することにより完成される。
図３（ｂ）のプレハブ式パネルは、図４に示すように、ユニットパネル１００の複数を平行に配置した後、図５のパネルフレームにおける第１チャネル２００ａ及び第２チャネル２００ｂをいずれも用いて組み立てた例を示す。このようなプレハブ式パネルは、図４に示すように、複数のユニットパネル１００が補強枠板の段付き溝１２１が上下に隣接しつつ左右に隣り合うように配置されれば、パネルフレーム２００として第１チャネル２００ａ及び第２チャネル２００ｂを選択して第１チャネル及び第２チャネルのフランジ２１０を隣り合う２枚のユニットパネル１００の段付き溝１２１にそれぞれ嵌合しつつ第１チャネル及び第２チャネルのウェブ折曲部２２２間の隙間２３０に互いに隣接する２枚のユニットパネル１００の補強枠板１２０が嵌合するように設置した後、左右方向に第１チャネル及び第２チャネルのウェブ折曲部２２２と２枚のユニットパネルの補強枠板１２０を同時に接合（例えば、ボルト接合）し、上下方向に２枚のユニットパネルの補強枠板１２０を同時に接合（例えば、ボルト接合）することにより完成される。
図３に示すように、ユニットパネル１００の補強枠板１２０はパネルフレーム２００を取り囲みつつ組み立てられるため、ユニットパネル１００がパネルフレーム２００に完全に噛合されるようにでき、さらに、パネルフレーム２００を途中（ユニットパネルの補強枠板連結部）で凹ませることなくパネルフレーム２００をユニットパネル１００に嵌合しつつ密着・接合することが可能になる。その結果、パネルフレーム２００の連続性が確保されてパネルフレーム２００による補強支持力は極大化され、しかも、ユニットパネルの四角板１１０に荷重が加わっても最終的に噛合しているユニットパネルの補強枠板１２０とパネルフレーム２００が一緒に支持してユニットパネル相互間の連結部位の支持力は一層強化される。
図６は、図３のプレハブ式パネルを壁パネルＷＰと天井パネルＣＰとして活用しつつ完成したプレハブ式貯水槽の一例であり、壁パネルＷＰと天井パネルＣＰを構成する各部材の組み立てを貯水槽の外部において行うように構成している。その結果、接合部分の瑕疵に対する補修・補強が容易になることはもとより、接合部分に用いられる各種の接合部材（補強プレート、ボルト、ナットなど）の腐食を抑えることが可能になり、さらに、貯水槽内部の水質汚染を抑えることが期待される。プレハブ式パネルは、壁パネルＷＰと天井パネルＣＰとして活用するとき、その組み立て形式を考慮してユニットパネル１００の規格と形態を決定するようにする。すなわち、プレハブ式貯水槽の場合は上部よりも下部の方がさらに補強されることが求められるため、下部は単位サイズが小さなユニットパネル１００を選択し、上部は単位サイズが大きな形態を選択することにより、補強枠板１２０による補強効果を貯水槽の下部に集中させるのである。このようにして完成された貯水槽における内部水圧は、ユニットパネルの補強枠板１２０とパネルフレーム２００の組み立てにより強力に支持される。
特に、図６においては、四角箱状の貯水槽であって、貯水槽の四縁にコの字アングル型の縁柱３００を垂直に立設した例を示す。壁パネルＷＰは、縁柱３００の間において壁パネルの最左右側に位置するユニットパネルの補強枠板１２０を縁柱３００の板面に接合することにより設置施工され、同時に天井パネルＣＰは前記天井パネルＣＰの外郭に位置するユニットパネルの補強枠板１２０を壁パネルＷＰの最上部に位置するユニットパネルの四角板１１０に接合することにより設置施工される。縁柱３００の設置によりプレハブ式貯水槽の縁部は自然に補強される。
また、図６のプレハブ式貯水槽においては、壁パネルＷＰのユニットパネル１００のうち最上部のユニットパネルとして、補強枠板１２０の上部に段付き溝が凹設されず、且つ、四角板１１０の上縁に排水孔１１３が穿設されたユニットパネルを選択し、同時に天井パネルＣＰのユニットパネル１００として、補強枠板１２０の四縁付近の全部に段付き溝１２１が凹設されたユニットパネルを選択している。このようなユニットパネルの選択は、壁パネルＷＰと天井パネルＣＰのユニットパネル１００相互間の段付き溝１２１による干渉を解消するためであり、さらに、天井パネルＣＰの上に落下する雨水の排出通路を確保して雨水が最終的に排水孔１１３を介して排出できるようにするためである。すなわち、天井パネルＣＰを構成するユニットパネルの補強枠板１２０と壁パネルＷＰを構成するユニットパネルの四角板１１０を互いに隣接するように設置すれば、天井パネルＣＰを構成するユニットパネルの段付き溝１２１と壁パネルＷＰを構成するユニットパネルの段付き溝１２１は互いに衝突する筈であるが、このような衝突を除去することにより天井パネルＣＰを構成するユニットパネルの補強枠板１２０と壁パネルＷＰを構成するユニットパネルの四角板１１０を互いに隣接するように設置することを可能にする。もちろん、貯水槽の上部には大きな荷重が作用しないため、別途の補強構造を設けないままで天井パネルＣＰを構成するユニットパネルの補強枠板１２０と壁パネルＷＰを構成するユニットパネルの四角板１１０をそのまま接合しても構造的には問題とならない。
図示はしないが、本発明によるプレハブ式貯水槽は、壁パネルＷＰと天井パネルＣＰの形状を適切に調節することにより、いうまでもなく、円筒状、多角箱状など種々の形状に完成することができる。また、天井パネルＣＰは壁パネルＷＰよりもあまり大きな荷重を負担しないため、言うまでもなく、天井パネルＣＰとしてはパネルフレームを選択しないままでユニットパネルだけで組み立てて完成することができ、一般的に選択される他の形態のプレハブ式パネル（図１に示す従来のプレハブ式パネル）を利用することも可能である。また、貯水槽の内部に内部連結補強材をさらに設けることも可能である。
図７は、図６のプレハブ式貯水槽における天井パネルＣＰと壁パネルＷＰとの接合詳細を示す図であり、同じ構造の壁パネルＷＰと天井パネルＣＰを選択して、パネルフレーム２００はパネルフレーム同士に、ユニットパネル１００はユニットパネル同士に相互結束する様子を示す。図８は、図７における天井パネルＣＰのパネルフレームと壁パネルＷＰのパネルフレームの組み立て詳細を示す。
壁パネルＷＰと天井パネルＣＰのユニットパネル１００の相互間は、上述したように、天井パネルＣＰを構成するユニットパネルの補強枠板１２０と壁パネルＷＰを構成するユニットパネルの四角板１１０を隣接させた後、両者の隣接部分を接合（ボルトなど）により連結・接合することができる。
壁パネルＷＰと天井パネルＣＰのパネルフレーム２００の相互間は、パネルフレームのウェブ２２０またはフランジ２１０を介して連結・接合することができるが、特に、図７及び図８においては、パネルフレームのウェブ２２０を介して連結・接合する方法を示している。具体的に、壁パネルＷＰのパネルフレーム２００としてウェブの折曲部２２２が壁パネルＷＰの最上部ユニットパネル１００の上に突き出るように延在部２２５がさらに形成されたものを設けた後、壁パネルＷＰのパネルフレームの延在部２２５（ウェブの折曲部）と天井パネルＣＰのパネルフレームウェブの非折曲部２２１を互いに連結・接合している。このとき、前記壁パネルＷＰのパネルフレーム２００は、延在部２２５下のウェブ折曲部２２２が凹んで切欠溝２２３が凹設される必要があるが、これは、前記壁パネルＷＰを構成する最上部ユニットパネルの補強枠板１２０の上部が壁パネルＷＰのパネルフレームの切欠溝２２３に嵌合するようにするためである。
さらに、図７及び図８に示すように、壁パネルＷＰのパネルフレーム２００を延在部２２５のウェブ折曲部が延在部２２５下のウェブ折曲部よりも大きな深さを有するように構成し、同時に天井パネルＣＰのパネルフレーム２００をウェブの非折曲部２２１が天井パネルＣＰの外郭ユニットパネル１００の両側にさらに突き出た延在部２２５がさらに形成されるように構成すれば、壁パネルＷＰと天井パネルＣＰのパネルフレーム２００相互間の連結・接合を容易に行うことができる。すなわち、壁パネルＷＰを構成するパネルフレームの延在部２２５（ウェブ折曲部）に形成された隙間２３０に前記天井パネルＣＰを構成するパネルフレームの延在部２２５（ウェブの非折曲部）を嵌合することが可能になるため、前記壁パネルＷＰのパネルフレーム延在部２２５と天井パネルＣＰのパネルフレーム延在部２２５を同時に接合するだけで互いに連結・接合されてその作業が簡単になるのである。
天井パネルＣＰのパネルフレーム２００は、相対するように配置された壁パネルＷＰのパネルフレーム２００を一方向にのみ相互・連結するため、他方向に相対するように配置された壁パネルＷＰのパネルフレーム２００には連結棒２５０を連結して設置することが好ましい。すなわち、図６に示すように、壁パネルＷＰのパネルフレーム延在部２２５（ウェブの折曲部）を互いに連結する連結棒２５０がさらに設けられるのである。これにより、四角形のプレハブ式貯水槽において相対する両壁パネルＷＰは天井パネルＣＰを構成するパネルフレーム２００により連結・拘束される一方、相対する他の両壁パネルＷＰは連結棒２５０により連結・拘束され、このようにして完成されたプレハブ式貯水槽はその全体が一体化されつつ別途の内部補強材なしでも構造的な安定性を一定以上に確保することが可能になる。もちろん、本発明による外部補強構造のプレハブ式貯水槽にも、場合によって、必要であれば、従来の貯水槽でのように内部において相対する壁パネルＷＰを連結・支持する内部連結フレームをさらに設けて一層強力な補強構造に完成することもできる。
以上、本発明を実施形態を基に詳述したが、本発明が属する技術分野において通常の知識を持った者であれば、上述した技術的思想を逸脱しない範囲内において種々の置換、付加及び変形が可能であることは言うまでもなく、このような変形された実施形態もまた特許請求の範囲により定まる本発明の保護範囲に属するものであると理解さるべきである。
【符号の説明】
【０００８】
１００：ユニットパネル
１１０：四角板
１１１：縁脚
１２０：補強枠板
１２１：段付き溝
１２０ａ：第１面、第２面
１２０ｂ：第３面、第４面
１２１ａ：段付き顎    
１２１ｂ：脚
２００：パネルフレーム
２００ａ：第１チャネル
２００ｂ：第２チャネル
２１０：フランジ
２２０：ウェブ
２２１：非折曲部
２２２：折曲部
２２３：切欠溝
２２５：延在部
２３０：隙間
２５０：連結棒
３００：縁柱
ＷＰ：壁パネル
ＣＰ：天井パネル
【図１（ａ）】
2010523414.tif 000003
【図１（ｂ）】
2010523414.tif 000004
【図１（ｃ）】
2010523414.tif 000005
【図２（ａ）】
2010523414.tif 000006
【図２（ｂ）】
2010523414.tif 000007
【図２（ｃ）】
2010523414.tif 000008
【図２（ｄ）】
2010523414.tif 000009
【図３】
2010523414.tif 000010
【図４（ａ）】
2010523414.tif 000011
【図４（ｂ）】
2010523414.tif 000012
【図５（ａ）】
2010523414.tif 000013
【図５（ｂ）】
2010523414.tif 000014
【図５（ｃ）】
2010523414.tif 000015
【図６】
2010523414.tif 000016
【図７】
2010523414.tif 000017
【図８（ａ）】
2010523414.tif 000018
【図８（ｂ）】
2010523414.tif 000019
【国際調査報告】
2010523414.tif 000020
2010523414.tif 000021